(57)【要約】【課題】容易にかつ安価にデザイン加飾・飛散防止処理した強化ガラス板を着脱自在に構成し、デザイン性を高めることを目的とする。【解決手段】加熱手段と送風手段を内蔵した本体１外装のマエイタ部２に着脱自在に固定した強化ガラス板４を取り付け、前記強化ガラス板４裏面には加飾処理を施すとともに、該強化ガラス板４を取り外した場合でも、機器内部構成部品が露出しない構成としてある。【選択図】図１
2005273938.tif 000002
【特許請求の範囲】
【請求項１】
加熱手段と送風手段を内蔵した本体外装のマエイタ部に着脱自在に固定した強化ガラス板を取り付け、前記強化ガラス板裏面には加飾処理を施すとともに、該強化ガラス板を取り外した場合でも、機器内部構成部品が露出しない構成とした温風暖房装置。
【請求項２】
強化ガラス板裏面には加飾処理を施すとともに、ガラス破損時の飛散防止用の樹脂フィルムを接着処理した請求項１記載の温風暖房装置。
【請求項３】
飛散防止用の樹脂フィルムをＰＥＴ等の透明樹脂フィルムで形成、その一面に反対面から見たとき模様が見える加飾処理をオフセット印刷またはシルク印刷等にて行い、印刷面と相対するもう一方の面には透明アクリル系粘着剤を塗布後、その上に再度ＰＥＴ等の樹脂フィルム製の離型用セパレーターにて粘着面を保護した請求項１又は２記載温風暖房装置。
【発明の詳細な説明】
【技術分野】
【０００１】
本発明は、温風を吹き出して室内を暖房する温風暖房機の外観構成に関するものである。
【背景技術】
【０００２】
従来の温風暖房機は、図４に示すように、機器本体正面部に板金や樹脂成形品で構成されたマエイタ部が固定され構成されていた。
【０００３】
図４において、１は温風暖房機本体で、２は機器前面部に備えられたマエイタ部である。
【特許文献１】特開平９−１３３３４８号公報
【発明の開示】
【発明が解決しようとする課題】
【０００４】
しかしながら前記従来の構成では、機器正面部のマエイタ部が固定されており、容易にマエイタ部を交換し、その塗装の色や模様を交換することができなかった。また、マエイタを交換する場合は、取り外し時、機器内部構成部品が容易に見え、かつ容易に手を触れる恐れがあり、素人には交換出来ない構成であった。またマエイタ部の材質としては、カラー塗装処理された金属板で構成されることが多く、デザイン性に限度があり、意匠として高級デザイン感をもたせることができなかった。
【０００５】
本発明は、前記従来の課題を解決するもので、任意なデザインを加飾処理した強化ガラス板をマエイタ部に容易に着脱自在にすることにより、安全でかつ簡単に透明感のある高級感あふれるデザインの温風暖房機を提供することを目的としている。
【課題を解決するための手段】
【０００６】
前記従来の課題を解決するために、本発明の温風暖房機は、機器本体正面部のマエイタ部に相当する部分の全面に加飾処理を施した強化ガラス板を複数の固定用化粧ネジにて固定し、前記複数の固定用ネジを緩め、取り外すことにより、容易に強化ガラス板を着脱自在とし、様々な模様や色を施したマエイタ部に交換可能な構成とするとともに、強化ガラス板を取り外した場合でも、マエイタ部にて、機器内部構成部品をカバーし、簡単に手で触れる恐れのない構成にしたものである。
【発明の効果】
【０００７】
以上のように、本発明によれは、機器の前面に透明感のある加飾強化ガラス板を設ける
ことにより、機器のデザイン性の高級感を容易に構成することが可能であり、また、従来のガラス面への加飾処理方法を用いた場合と比較し、より安価にその目的を構成することが可能である。
【発明を実施するための最良の形態】
【０００８】
第１の発明は、加熱手段と送風手段を内蔵した本体外装のマエイタ部に着脱自在に固定した強化ガラス板を取り付け、前記強化ガラス板裏面には加飾処理を施すとともに、該強化ガラス板を取り外した場合でも、機器内部構成部品が露出しない構成としたことを特徴とするもので、従来の板金にアクリル塗装処理した場合と比較し、ガラス板の場合は、より深みのある透明感あふれる高級デザイン感を容易に構成することが可能になるとともに、従来の温風暖房機の金属性のマエイタ部の塗料と比較し、強化ガラス板部の塗装等の加飾処理がその裏面にあるため、傷が付き難いという効果があると同時に、容易にかつ交換時安全に、機器前面のモデルを交換できるという効果がある。
【０００９】
第２の発明は、特に第１の発明において、強化ガラス板が万一破損した場合、その破片が飛散し危険がない様に、ガラス板裏面に飛散防止用のフィルムを接着処理し、安全性を高めるという効果がある。
【００１０】
第３の発明は、特に第１、２の発明において、飛散防止用の樹脂フィルムをＰＥＴ等の透明樹脂フィルムで形成、その一面に反対面から見たとき模様が見える加飾処理をオフセット印刷またはシルク印刷等にて行い、印刷面と相対するもう一方の面には透明アクリル系粘着剤を塗布後、その上に再度ＰＥＴ等の樹脂フィルム製の離型用セパレーターにて粘着面を保護したことを特徴とするもので、強化ガラス板への加飾処理において、飛散防止用フィルムに加飾処理と、接着処理を同時に行うことにより、従来のガラス裏面への印刷処理では困難であった色々な色と模様を容易に加工にすると同時に、強化ガラス面に直接加飾印刷した場合のガラスの強化度合いの熱的劣化を完全に無くすことができるという効果がある。
【００１１】
以下、本発明の実施の形態について、図面を参照しながら説明する。なお、本実施の形態によって本発明が限定されるものではない。
【００１２】
（実施の形態１）
図１は、本発明の第１の実施の形態における温風暖房機の側面図、図２（ａ）（ｂ）（ｃ）は、同温風暖房機の主構成部品である強化ガラス部への加飾処理方法を示す部分断面図である。
【００１３】
図１において、機器本体１の内部には図示しないが、燃料を燃焼するバーナ等で構成した加熱手段、燃焼ガスを室内空気と熱交換して温風を吹き出す送風手段等を内蔵し、前面部には、マエイタ部２が構成されている。マエイタ部２には、複数の固定用ネジ３にて、強化ガラス板４が固定されている。また、マエイタ部２によって従来と同様、機器内部部品は温風吹き出し口５以外は完全に閉塞されている。従って、この複数の固定用ネジ３を緩め、取り外すことにより、強化ガラス板４も容易に取り外すことが可能である。また、この強化ガラス板４を取外しても、従来と同様のマエイタ部２が構成されているため、機器内部に触れる恐れはなく、安心して取り外すことが可能である。
【００１４】
図２（ａ）、（ｂ）、（ｃ）は、マエイタ部２に取り付ける強化ガラス板４の加飾・飛散処理方法の原理を示す断面図である。図２（ａ）において、強化ガラス板４の裏面にはシルク印刷等により印刷面６が形成されており、別にＰＥＴ等で出来た飛散防止用樹脂フィルム７に接着剤塗布面８とＰＥＴ等で出来た離型用セパレーター樹脂フィルム９にて構成された部品が用いられる。図２（ｂ）で示す如く、当該離型用セパレーター樹脂フィルム９を剥がすと、強化ガラス板４の印刷面６に当該接着塗布面８を貼り付けることができる。即ち図２（ｃ）で示す如く、飛散防止用樹脂フィルム７が強化ガラス板４の印刷面６に接着され、最終的に加飾・飛散防止処理が完了した状態を示すものである。
【００１５】
（実施の形態２）
図３（ａ）、（ｂ）、（ｃ）は、本発明の第２の実施の形態における強化ガラス板４の加飾・飛散処理方法の原理を示す断面図である。図３（ａ）において、強化ガラス板４は、ガラス板４に強化処理加工のみが施された状態である。また別に準備された、ＰＥＴ等で出来た飛散防止用樹脂フィルム７の一面にはシルク印刷またはオフセット印刷にて加飾処理された印刷面６があり、その相対する反対面には透明アクリル系の接着塗布面８が構成され、その接着塗布面８には、その上にＰＥＴ等で出来た離型用セパレーター樹脂フィルム９にて、接着面が保護されている。ここで接着塗布面８に用いられる接着剤は、裏面の印刷面の加飾をきれいに透視可能にするため、透明アクリル系粘着剤を用いる。図３（ｂ）で示す如く、離型用セパレーター樹脂フィルム９を剥がすと、強化ガラス板４に接着塗布面８を用い貼り付けることができる。図３（ｃ）は、加飾印刷処理された飛散防止用樹脂フィルム７が強化ガラス板４に接着され、最終的に加飾・飛散防止処理が完了した状態を示すものである。
【００１６】
この場合は、図２（ａ）、（ｂ）、（ｃ）で示す加工処理方法と異なり、直接強化ガラス板４には加飾印刷せず、飛散防止用樹脂フィルム７Ｉ印刷することで、容易にかつ安価に加飾が可能とった。
【００１７】
また、強化ガラス板４は、従来強化熱処理後、印刷処理のため再度熱処理されていたためその強化度合いが、劣化するという欠点があったが、本発明により、強化熱処理以外、熱処理工程が不要のため、従来と同様の強化度合いが確保できる利点がある。
【産業上の利用可能性】
【００１８】
以上のように、本発明の温風暖房装置は、本体外装前面のマエイタ部に着脱自在に加飾処理を施した強化ガラスを取り付けた構成としているため、デザイン性を高めることができ、燃焼装置を用いた温風暖房機に限定されることなく、前面部に板金や樹脂等で構成した外装を有する機器全般に適用可能である。
【図面の簡単な説明】
【００１９】
【図１】本発明の実施の形態１における温風暖房装置の側面図
【図２】（ａ）、（ｂ）、（ｃ）同温風暖房装置の前面に取り付けた強化ガラスの加飾処理及び飛散防止処理の方法を示す部分断面図
【図３】（ａ）、（ｂ）、（ｃ）本発明の実施の形態２における温風暖房装置の前面に取り付けた強化ガラスの加飾処理及び飛散防止処理の方法を示す部分断面図
【図４】従来の温風暖房装置の一例を示す側面図
【符号の説明】
【００２０】
１  機器本体
２  マエイタ部
４  強化ガラス板
【図１】
2005273938.tif 000003
【図２】
2005273938.tif 000004
【図３】
2005273938.tif 000005
【図４】
2005273938.tif 000006